(57)【要約】【課題】  緊急照明機能付き照明器具の提供。【解決手段】  蛍光灯、コントローラ、商用電源を照明に提供する商用電源回路、予備電源を提供する予備回路が組み合わされ、建築物のもとの配線を変更しなくとも、商用電源が正常に供給される時に使用でき、電源スイッチのオンオフの方式により蛍光灯の点灯と滅灯を制御し、さらに商用電源停電時に、電源の回路が自動的に予備回路に接続されて予備電源により電力供給して緊急照明の効果を発生し、且つ商用電源供給が回復した時、電源の回路が自動的に商用電源回路と接続するよう切り換えられて商用電源供給により正常な照明機能を回復する。【選択図】        図２
0003104516.tif 000002
【実用新案登録請求の範囲】
【請求項１】
照明器具と、
商用電源を受けて商用電源を処理して該照明器具に適当する電源とした後に出力する商用電源回路と、
電池を具え並びに該照明器具の駆動に適合する予備電源を出力できる予備回路と、
該照明器具と該商用電源回路及び該予備回路の間を接続し、制御ユニットと選択ユニットを具えたコントローラと、
を具えた緊急照明機能付き照明器具において、
該制御ユニットがスイッチを具え、該スイッチが切り換えられる時に電圧或いは電流のパルス信号を発生し、該制御ユニットがこのパルス信号を受け取り並びに準位が切り換え前の準位と異なる制御信号を出力し、この制御信号が被制御スイッチに接続され、商用電源回路のオンオフを制御し、該選択ユニットが該商用電源の有無により、該照明器具の回路を予備回路或いは商用電源回路のいずれに接続するかを決定し、商用電源正常供給時に、商用電源回路は該制御ユニットの出力する制御信号によりオンオフされ、商用電源停電時に、該コントローラが該照明器具を該予備回路に接続させ、予備電源を受け取らせて緊急照明させ、商用電源正常供給時に、該コントローラは使用者による操作により該照明器に商用電源回路で処理した電源を供給して照明を行なわせるか或いは電源を供給せずに滅灯させることを特徴とする、緊急照明機能付き照明器具。
【請求項２】
請求項１記載の緊急照明機能付き照明器具において、選択ユニットが一つ以上のセレクタを具え、各セレクタが二つの入力端、一つの出力端及び一つの選択端を具え、セレクタの出力端はそれぞれ蛍光灯の二つの入力端に接続され、セレクタの入力端は予備回路の出力端に接続され、もう一つの入力端は商用電源回路の出力端に接続され、且つ該セレクタの選択端は商用電源に接続され並びに商用電源が供給される時、該セレクタの出力端が商用電源回路の出力端に接続され、商用電源停電時に、該セレクタの出力端は予備回路の出力端に接続されて、予備回路の予備電源を照明器具に供給することを特徴とする、緊急照明機能付き照明器具。
【考案の詳細な説明】
【技術分野】
【０００１】
本考案は一種の緊急照明機能付き照明器具に係り、特に、もとの建築物の配線を変更しない前提の下で、平時照明及び緊急照明を一つに整合させた設備に関する。
【背景技術】
【０００２】
緊急照明設備は一般に正常電力（商用電源）中断時に、続いて照明効果を提供する設備であり、その目的は、居室、作業場所及び避難通路の最低の視界を維持して短時間内に作業を終了させたり緊急状況時に避難できるようにすることにある。避難装置には、避難口の上方の出口表示ランプと各通路の曲がり角に設けられた避難方向指示ランプがあり、それらの設置目的は、正常電力中断時に、暗闇でも避難通路方向と避難口の位置を認識できるようにすることにある。近年、居住品質の向上に伴い、建築物の設計は快適性が強調されるほか、安全性も符合しなければならなくなった。
【０００３】
典型的な緊急照明設備は、壁掛け式緊急照明ランプ（Ｅｍｅｒｇｅｎｃｙ  Ｌｉｇｈｔｉｎｇ）が主流である。緊急照明ランプは一般に各種の場所の避難時に通過が必要な廊下、階段、その他の平時に人工照明が必要な地点に取り付けられる。通常、緊急照明ランプ内には交流直流電源自動切り換え装置が設けられ、平時には交流（ＡＣ）電源を直流に切り換え並びに予備電池に自動充電し、電力飽和時には自動的に充電停止し、停電後に予備回路に切り換えて予備電源を供給し、緊急照明を行なう。
【０００４】
しかし、緊急照明ランプはもともと各種の場所に設置される照明設計とは独立して設置され、ゆえに消費者は単独で購入後に建築物内に配置する。しかし、前述したことから分かるように、これらの緊急照明ランプは避難時に通過が必要な廊下、階段、通路、その他の平時に人工照明が必要なポイント位置に配置され、且つ壁掛け式設計を採用しているため、商用電源停電後に、壁面より照射できるだけで、その照明可能なエリアは有限である。
【０００５】
一般家庭中或いは作業場所での照明設備、例えば蛍光灯は、いずれもスイッチの設計により回路を切断或いは導通させて蛍光灯の点灯或いは滅灯を制御している。このため、一般に蛍光灯は商用電源供給時に照明機能を具えている。反対に、伝統的な緊急照明ランプの運転形式は一般の照明設備と反対であり、商用電源停電時に照明の機能を有し、商用電源の正常供給状況下では自動滅灯する。
【考案の開示】
【考案が解決しようとする課題】
【０００６】
本考案は一般照明用の蛍光灯或いはバルブ、及び発光ダイオード例えばＬＥＤランプに、商用電源停止時の緊急照明機能をも具備させるようにし、即ち、平時照明装置と緊急照明装置を一つに整合させる。
【０００７】
整合の最も困難な部分はいかに停電或いは使用者の操作による滅灯かを識別することである。周知の解決方式は３本の電線による制御（ビルの回路を配置しなおす必要がある）か、或いはリモートコントローラーの使用、或いは紐によるスイッチ制御である。これらの周知の技術に経済的で簡便なものはない。
【０００８】
本考案の目的は、緊急照明機能付き照明器具を提供することにあり、それは、余分に緊急照明装置を購入するための費用を節約できるものとする。
【０００９】
本考案のもう一つの目的は、一種の緊急照明機能付き照明器具を提供することにあり、それは、正常商用電源供給時と商用電源停電時のいずれでも照明機能を具備するものとする。
【課題を解決するための手段】
【００１０】
請求項１の考案は、
照明器具と、
商用電源を受けて商用電源を処理して該照明器具に適当する電源とした後に出力する商用電源回路と、
電池を具え並びに該照明器具の駆動に適合する予備電源を出力できる予備回路と、
該照明器具と該商用電源回路及び該予備回路の間を接続し、制御ユニットと選択ユニットを具えたコントローラと、
を具えた緊急照明機能付き照明器具において、
該制御ユニットがスイッチを具え、該スイッチが切り換えられる時に電圧或いは電流のパルス信号を発生し、該制御ユニットがこのパルス信号を受け取り並びに準位が切り換え前の準位と異なる制御信号を出力し、この制御信号が被制御スイッチに接続され、商用電源回路のオンオフを制御し、該選択ユニットが該商用電源の有無により、該照明器具の回路を予備回路或いは商用電源回路のいずれに接続するかを決定し、商用電源正常供給時に、商用電源回路は該制御ユニットの出力する制御信号によりオンオフされ、商用電源停電時に、該コントローラが該照明器具を該予備回路に接続させ、予備電源を受け取らせて緊急照明させ、商用電源正常供給時に、該コントローラは使用者による操作により該照明器に商用電源回路で処理した電源を供給して照明を行なわせるか或いは電源を供給せずに滅灯させることを特徴とする、緊急照明機能付き照明器具としている。
請求項２の考案は、
請求項１記載の緊急照明機能付き照明器具において、選択ユニットが一つ以上のセレクタを具え、各セレクタが二つの入力端、一つの出力端及び一つの選択端を具え、セレクタの出力端はそれぞれ蛍光灯の二つの入力端に接続され、セレクタの入力端は予備回路の出力端に接続され、もう一つの入力端は商用電源回路の出力端に接続され、且つ該セレクタの選択端は商用電源に接続され並びに商用電源が供給される時、該セレクタの出力端が商用電源回路の出力端に接続され、商用電源停電時に、該セレクタの出力端は予備回路の出力端に接続されて、予備回路の予備電源を照明器具に供給することを特徴とする、緊急照明機能付き照明器具としている。
【考案の効果】
【００１１】
本考案によると、蛍光灯、コントローラ、商用電源を照明に提供する商用電源回路、予備電源を提供する予備回路が組み合わされ、建築物のもとの配線を変更しなくとも、商用電源が正常に供給される時に使用でき、電源スイッチのオンオフの方式により蛍光灯の点灯と滅灯を制御し、さらに商用電源停電時に、電源の回路が自動的に予備回路に接続されて予備電源により電力供給して緊急照明の効果を発生し、且つ商用電源供給が回復した時、電源の回路が自動的に商用電源回路と接続するよう切り換えられて商用電源供給により正常な照明機能を回復する。
【考案を実施するための最良の形態】
【００１２】
本考案によると、緊急照明装置と平時照明装置が一つに整合され、本考案の最も人を引きつけるところは、ビルの回路を改修する必要なく、費用を節約でき、また照明エリアを増して避難に便利な機能を提供できることにある。
【００１３】
本考案は蛍光灯に応用され、蛍光灯、コントローラを具え、該コントローラは商用電源が正常に供給されているかを判断し、商用電源或いは予備電源のいずれで蛍光灯を点灯させるかを自分で決定し、商用電源（即ち電子安定器）が電力供給する時は、蛍光灯を商用電源で点灯させ、停電時には予備電源で電源を提供して蛍光灯を点灯させる。且つ使用者は商用電源の正常供給時に、スイッチのオンオフ制御により蛍光灯の点灯と滅灯を制御して使用者の要求する効果を達成することができる。
【００１４】
市場で一般に使用されている蛍光灯は、商用電源正常供給時に、使用者によるスイッチの切り換え操作により、蛍光灯自身の通電或いは不通電が制御され、これにより照明装置の点灯と滅灯の効果が達成される。しかしこのような設計の一般の蛍光灯は、それ自身は正常な電源供給状態であるか或いは停電状態であるかを判断することができず、緊急照明装置と平時照明装置を一つに整合させるために、商用電源正常供給下で、本考案は電源スイッチの起動を特殊な装置即ち本考案のコントローラで処理した後に、異なる準位の信号を発生し、これを以て蛍光灯を点灯或いは滅灯させる新たな方法を採用する。言い換えると、商用電源正常供給時に、照明装置は点灯或いは滅灯のいずれの状態であっても通電状態を保持し、蛍光灯の電圧或いは電流に接続され、電源スイッチが切り換えられる時に、パルス信号を発生してこの目的を達成する。蛍光灯の電源スイッチは平時には通電状態（Ａｌｗａｙｓ  ｏｎ）を保持しなければならず、スイッチボタンが押圧されると停電状態とされ、不押圧時には通電状態に自動回復し、これにより瞬間停電の効果を形成し、スイッチ自身が瞬間停電により電圧或いは電流のパルス信号を発生し、且つ瞬間的に停電し並びに商用電源を長時間切断せず（この点と現在市販されている一般のスイッチ切り換え式の照明装置の方式は異なる）、蛍光灯自身に以上のパルス信号が組み合わされて本考案のコントローラの処理及び制御により、使用者の照明装置を点灯或いは滅灯する要求を完成する。商用電源停電時、本考案のコントローラは蛍光灯回路を自動的に予備回路に接続し、予備電源の供給により蛍光灯を点灯させ、緊急照明モードに進入し、これが本考案の特徴である。詳しく説明すると、図１を参照されたいが、そのうち、状態一は商用電源停電時に、本考案のコントローラが蛍光灯の電源回路を自動的に切り換えて予備回路の予備電源により電源供給して緊急照明する状態である。状態二と状態三は、商用電源の正常供給時の状態であり、状態二は使用者が蛍光灯を起動し照明する状態で、状態三は使用者が蛍光灯を切断し滅灯する状態である。商用電源停電時に、蛍光灯が状態二或いは状態三のいずれの状態であっても、本考案は蛍光灯の電源回路を自動的に状態一に切り換えて緊急照明を実行する。
【００１５】
図２に示されるように、本考案の緊急照明機能付き照明器具の好ましい実施例によると、それは、蛍光灯１、コントローラ２、商用電源回路３、予備回路４、及び、信号Ｃ１に制御される被制御スイッチ５を具え、蛍光灯１はコントローラ２の制御を受けて、商用電源回路３による商用電源供給か予備回路４による予備電源供給かを選択する。
図３に示されるように、商用電源回路３は電子安定器とされて、商用電源を蛍光灯を駆動するのに適合するよう処理する電力措置として用いられ、それは交流直流変換回路３１と振動回路３２を具えている。該交流直流変換回路３１は商用電源の入力を受け、それを直流＋Ｖｃｃ、−Ｖｃｃに変換して振動回路３２に出力し、振動回路３２が更に直流電力を高周波信号に変換して蛍光灯１に入力して蛍光灯１を駆動し照明させる。図４に示されるように、予備回路４は直流振動回路４２と充電回路４１を具え、予備電源（例えばバッテリー等）の出力する直流電力を、振動回路４２で処理して蛍光灯１に出力し、蛍光灯１を駆動して点灯させ緊急照明させる。ここにあって、蛍光灯１、商用電源回路３及び予備回路４はいずれも周知の装置であり、本考案の改良の重点ではないため詳しい説明は省略する。
【００１６】
図２に示される被制御スイッチ５は制御信号を受け取り、並びにこの信号によりこのスイッチを導通或いは切断の状態のいずれにするかを決定し、実際の回路上、この被制御スイッチ５にはリードスイッチ或いはリレー或いはその他の半導体素子を使用できるが、ここでは説明に便利なように、リードスイッチを以て代表させる。
【００１７】
本考案のコントローラ２は、使用者が商用電源正常供給時に蛍光灯１の点灯と滅灯を制御するのに用いられ、並びに商用電源停電時に蛍光灯の回路を自動的に予備回路の予備電源に自動的に切り換えて蛍光灯１を点灯させる。コントローラ２は電力供給状態の改変或いは使用者による選択により、蛍光灯１を選択的に商用電源回路３或いは予備回路４に接続する。図５及び図２に示されるように、本考案のコントローラ２は、制御ユニット２１と選択ユニット２２を具えている。この制御ユニット２１は使用者の使用目的により、蛍光灯１に対してオンオフの制御を行ない、信号Ｃ１を被制御スイッチ５に出力し、こうして選択ユニット２２と被制御スイッチ５が受け取った信号により商用電源が供給されているか否かを自分で判断し、並びに蛍光灯１を自動制御し、状態一或いは状態二或いは状態三の任意の状態とし、本考案の機能と効果を達成する。
【００１８】
この制御ユニット２１は使用者が蛍光灯をオンする時、異なる準位の制御信号を被制御被制御スイッチ５に出力し、被制御スイッチ５に使用者の選択を告知し、例えば、使用者が蛍光灯オンを選択する時、コントローラ２が高準位の制御信号を出力し、被制御スイッチ５を導通状態となして、蛍光灯を点灯させ、使用者が蛍光灯オフを選択すると、コントローラ２はこれに対応して低準位の制御信号を出力して被制御スイッチ５を切断し、蛍光灯を滅灯させ、こうしてスイッチの重複する同じ動作により照明装置の点灯と滅灯の効果を達成する。
【００１９】
本実施例中、制御ユニット２１はスイッチ２１１を具え、このスイッチ２１１は使用者が瞬間的に押して離す方式で蛍光灯の点灯と滅灯を制御するのに供され、商用電源正常供給時に、蛍光灯１の点灯と滅灯を制御する。該スイッチ２１１は常閉スイッチとされ、即ちスイッチ２１１は平時には閉合して導通状態を呈し、スイッチ２１１が押圧される時に開放され切断され、スイッチ２１１がそれ以上押圧されない時、即刻自動的に閉合状態に回復する。ゆえに本考案の制御ユニット２１は更にラッチ２１２、スイッチ２１１、増幅器２１３（例えばシュミットトリガ増幅器）を具え、その出力端はラッチ２１２のタイミング端Ｔに接続される。ラッチ２１２の負の出力端Ｑ- は入力端Ｄにフィードバックし、並びにラッチ２１２の正の出力端Ｑの出力する制御信号をＣ１を以て表示するよう設定する。制御信号Ｃ１がもとは高準位信号である時、負の出力端Ｑ- と入力端Ｄの信号は低準位信号となり、このとき、スイッチ２１１のボタンが押圧されると、ラッチ２１２のタイミング端Ｔの受け取る信号はもとの高準位信号が変成した低準位信号となり、並びにスイッチ２１１のボタンが開放されると、高準位信号に回復し、ラッチ２１２がスイッチ２１１が瞬間的にオンオフすることで発生する正波縁を受け取ると、入力端Ｄの信号が出力端Ｑ、Ｑ- に伝送され、このとき正の出力端Ｑの出力する制御信号Ｃ１が低準位信号に変成し、負の出力端Ｑ- の出力する信号が高準位信号に変成し、これにより入力端Ｄの入力信号も高準位信号に変成する。同様に、使用者が再度スイッチ２１１を押圧するとき、一次正波縁を発生し、ラッチ２１２が再度入力端Ｄの高準位信号を出力端Ｑ、Ｑ- に送り、負の出力端Ｑ- の出力する信号が低準位信号に変成し、ゆえに正の出力端Ｑの出力する制御信号Ｃ１が再度高準位信号に変成する。これにより、使用者が反復して瞬間的に制御ユニット２１のスイッチ２１１を押して離す動作を行なうと、順に異なる準位の信号が選択ユニット２２に送られ、これにより蛍光灯の点灯と滅灯を制御する効果が達成される。注意すべきことは、本実施例のスイッチ２１１は常閉スイッチとされているが、当然その他の市販されている各種のスイッチを応用することもでき、例えば、回転式スイッチ、レバー式スイッチ等を使用でき、制御ユニット２１が使用者が蛍光灯を点灯及び滅灯させたい時に異なる準位の制御信号を出力できればよく、本文は限定でなく説明目的のために記載されている、ということである。
【００２０】
デジタル回路設計に習熟する者であれば分かるように、ラッチ２１２の回路はその他のラッチに代えることができ、例えばＴ型ラッチとすることができる。本考案の重点の一つは、電圧或いは電流のパルス信号の変化を特殊処理して光源を点灯或いは滅灯させる方法により、緊急照明設備と平時照明設備を一体に整合させることにあるが、しかし制御ユニット２１の回路はその他の回路に交換でき、電圧或いは電流のパルス信号変化を利用して光源を点灯或いは滅灯させられる方法を利用して平時照明装置と緊急照明装置を整合して一体とできる設計は本考案の請求範囲に属するものとする。
【００２１】
さらに、説明に便利なように、先ず制御信号Ｃ１を高準位信号である時、使用者が蛍光灯を起動し点灯させたいことを代表し（図１に示される状態二）、制御信号Ｃ１が低準位信号の時は、使用者が蛍光灯を切断して滅灯したいことを代表する（即ち図１の状態三）と仮定する。
【００２２】
選択ユニット２２は商用電源の有無により、蛍光灯１を選択的に商用電源回路３或いは予備回路４に接続し、被制御スイッチ５が制御信号Ｃ１を受けて導通或いは切断状態を呈し、以上の組合せにより、蛍光灯は図１に示される状態一、状態二、状態三中で変換され、平時照明と緊急照明の二重目的を達成する。詳しくは、商用電源が停電時、蛍光灯１の回路は選択ユニット２２により予備回路４に自動接続され、予備電源の電源供給により緊急照明の効果を発生する（図１の状態一）。商用電源供給が正常に回復する時、蛍光灯１の回路は選択ユニット２２により商用電源回路３との接続に自動的に切り換えられる。商用電源供給が正常で且つ使用者が蛍光灯を切断したい時は、蛍光灯は被制御スイッチ５が切断状態とされて電力供給を受けないので切断される（即ち図１の状態三）。本実施例の選択ユニット２２は二つのセレクタを具えている（回路上、セレクタは異なる素子により実施可能で、例えば半導体ＣＭＯＳ或いはバイポーラで組成されたセレクタとされ得るが、この実施例ではリレーがセレクタとされている）。該リレー２２１、２２２は二つの入力端、一つの出力端及び一つの選択端を具えたリレーとされ、且つ両者の出力端はそれぞれに蛍光灯１の両端に接続され、二つのリレー２２１、２２２の右側上方に位置する入力端は、それぞれ予備回路４の二つの出力端Ｏ２、Ｏ３（図４、５参照）に接続され、二つのリレー２２１、２２２の右側下方に位置する入力端は、それぞれ商用電源回路３の二つの出力端Ｏ１、Ｏ４に接続される（図３、５参照）。さらに、二つのリレー２２１、２２２の下方に位置する選択端は、それぞれ商用電源に接続され、並びに商用電源の正常供給時に、リレー２２１、２２２は出力端を右側下方に位置する入力端Ｏ１、Ｏ４に接続し、商用電源回路の商用電源を供給し、停電時には、リレー２２１、２２２は出力端を右側上方に位置する入力端即ちＯ２、Ｏ３に接続し、蛍光灯１の両端を予備回路４の出力端即ちＯ２とＯ３に接続させ、予備電源により電源供給する。被制御スイッチ５の制御端（図２と図５参照）は制御ユニット２１のラッチ２１２の出力端Ｑに接続されて制御信号Ｃ１を受け取るのに供され、制御信号Ｃ１が高準位信号の時、被制御スイッチ５は導通状態を呈し、即ち商用電源回路３より受け取る商用電源がその出力端Ｏ１とＯ４よりリレー２２１、２２２の右側下方の入力端より蛍光灯に出力され、商用電源により蛍光灯が点灯され（図１の状態二）、制御信号Ｃ１が低準位信号の時、被制御スイッチ５は切断状態を呈し、商用電源回路３が商用電源の供給を受けられず、蛍光灯は電力供給が無いため滅灯する（図１の状態三）。
【００２３】
前述の部品と相互関係により、さらに蛍光灯の状態切り換えについて説明する。まず、商用電源正常供給時に、リレー２２１、２２２の出力端は自動的に右側下方の入力端に接続され、その後、被制御スイッチ５の受け取る制御信号の準位により、蛍光灯の点灯或いは滅灯を決定し、使用者が蛍光灯を点灯しようとして瞬間的にスイッチ２１１を押して離すと、制御ユニット２１が高準位信号の制御信号Ｃ１を出力して被制御スイッチ５を導通状態となし、これにより蛍光灯１がリレー２２１、２２２を通して商用電源回路３の出力端即ちＯ１とＯ４に接続され、図１の状態二に進入し照明を行なう。この時、もし使用者が蛍光灯を切断しようと再度瞬間的にスイッチ２１１を押して離すと、制御ユニット２１の出力する制御信号Ｃ１は低準位信号に変成し、被制御スイッチ５が切断状態となり、蛍光灯１が電力供給を受けられず滅灯する（即ち図１の状態三）。これにより、商用電源正常供給状況で、使用者は瞬間的に被制御スイッチ５を押して離すことで蛍光灯１を制御し、図１の状態二と状態三の間で切り換えて蛍光灯に点灯と滅灯の効果を発生させることができる。商用電源の停電時には、リレー２２１、２２２が自動的に出力端を右側上方の予備回路４の出力端即ちＯ２、Ｏ３に接続するよう切り換わり、これにより予備回路４がリレー２２１、２２２の左側の出力端を通して蛍光灯１に接続されて予備回路４の予備電源を供給し、ゆえに蛍光灯は図１の状態一の状態に進入して緊急照明を行なう。
【００２４】
以上の述べたように、本考案の蛍光灯は確実に、平時（即ち商用電源正常供給時）に使用者の操作により制御される照明設備とされ、停電時には、コントローラ２の選択ユニット２２と予備回路４の作用により、自動的に緊急照明を行ない、こうして使用者は別に緊急照明設備を購入する必要がなくなり、有効にコストを節約できる。このほか、本考案の設計は第３本の電線を必要とせず、これにより古い建築物に対応し、もとの回路を改修する必要がなく、且つ蛍光灯照明エリアは広く、使用範囲が広い。
【００２５】
このほか前述の実施例は僅かに緊急照明機能付き照明器具を記載しているが、この技術に習熟する者であれば分かるように、コントローラ２と予備回路４を整合して一つの制御装置とすることで、既存の蛍光灯と組み合わせて使用することができ、或いは、コントローラ２、商用電源回路３と予備回路４を整合して一つの装置として蛍光灯１と組み合わせて使用することもでき、コントローラ２に使用する二つのリレーは説明のために設けたもので、事実上、コントローラ２と商用電源回路３及び予備回路４を一つに整合する時、リレーの個数を減らすことができ、リレーはまたその他の半導体素子に代えることができる。本考案は前述の実施例の説明に制限されない。本実施例は蛍光灯への応用であり、蛍光灯の光電変換機能は良好であるが、本考案は同じ効果を有する構造に交換して同じ目的を達成することもできる。例えば以下のような具体的実施方式がある。
【００２６】
その一つの方式によると、蛍光灯１を依然として使用し、商用電源回路３（電子安定器）を伝統的な安定器に代え、この装置を使用する時蛍光灯の電源入力端にスタータを加え、これによりコントローラ２に同じ機能を達成させられるようにする。
【００２７】
二つ目の方式によると、蛍光灯１を各種の異なる低電圧のバルブ或いはその他の発光ダイオードに改め、変圧器を商用電源回路３の代わりに採用し、商用電源を変圧器或いは整流器を通して供給し、予備回路４の直流振動回路４２を改修或いは省略し、予備回路の予備電源例えばバッテリー等で電源供給し、こうして本コントローラ２に同じ機能を達成させられるようにする。
【００２８】
三つ目の方式によると、蛍光灯１と商用電源回路３を整合して一つの商品となし、単独で販売し、こうして予備回路４の直流振動回路４２を改修して商用電源停電時に、予備回路４に商用電源に対応する電源を出力させ、こうして本コントローラ２に同じ機能を達成させられるようにする。
【００２９】
以上は本考案の好ましい実施例の説明に過ぎず、本考案の実施範囲を限定するものではなく、例えば電源の断続或いは電源スイッチのオンオフ、或いはその他の方式を利用し、電圧或いは電流のパルス信号を発生させて、特殊装置即ち本考案に詳しく説明されるコントローラ２で処理後に、照明器具が商用電源正常供給時に使用できるようにする目的を達成し、電源スイッチオンオフの方式で照明器具の点灯と滅灯を制御することができる。商用電源停電時に、電源の回路は自動的に予備回路に接続されて予備電源が供給され、これにより緊急照明の効果を発生する。さらに、商用電源正常供給回復時に、電源の回路は自動的に商用電源回路に接続されて商用電源の供給により正常な照明機能に回復する。前述の説明の内容に基づきなしうる簡単な変化と修飾であって本考案と同じ効果を達成しうる技術的事項はいずれも本考案の請求範囲内に属するものとする。
【図面の簡単な説明】
【００３０】
【図１】本考案の実施例の状態表示図である。
【図２】本考案の実施例のブロック図である。
【図３】図２中の商用電源回路３の詳細な回路図である。
【図４】図２中の予備回路４の詳細な回路図である。
【図５】図２中のコントローラ２の詳細な回路図である。
【符号の説明】
【００３１】
１  蛍光灯
２  コントローラ
２１  制御ユニット
２１１  スイッチ
２１２  ラッチ
２１３  増幅器
２２  選択ユニット
２２１、２２２  リレー
３  商用電源回路
３１  交流直流変換回路
３２  振動回路
４  予備回路
４１  充電回路
４２  振動回路
５  被制御スイッチ
【図１】
0003104516.tif 000003
【図２】
0003104516.tif 000004
【図３】
0003104516.tif 000005
【図４】
0003104516.tif 000006
【図５】
0003104516.tif 000007